【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
第１の無線アクセス技術（ＲＡＴ）のワイヤレス通信のための装置であって、
前記第１のＲＡＴとは異なる第２のＲＡＴの第１の基地局によってサービスされるユーザ機器（ＵＥ）のために構成された複数のデータベアラを識別することと、
前記第２のＲＡＴの第２の基地局を識別する測定値報告を前記ＵＥから受信することと、
前記測定値報告に基づいて、前記第２のＲＡＴの前記第２の基地局にオフロードすべき前記データベアラのうちの１つまたは複数を識別することと、
前記識別されたデータベアラを前記第２のＲＡＴの前記第２の基地局にオフロードするために前記第２のＲＡＴの前記第１の基地局および前記第２の基地局と通信することと、
前記識別されたベアラを送信および受信するために前記第２のＲＡＴの前記第２の基地局を使用するように前記ＵＥを構成することと
を行うように構成されたプロセッサと、
前記プロセッサに結合されたメモリと
を備える装置。
【請求項２】
前記第２のＲＡＴの前記第１の基地局と通信することが、前記第２のＲＡＴの前記第１の基地局への前記識別されたベアラのオフローディングを停止するために、前記第２のＲＡＴの前記第１の基地局にベアラ変更メッセージを送ることを備える、請求項１に記載の装置。
【請求項３】
前記第２のＲＡＴの前記第２の基地局と通信することが、前記第２のＲＡＴの前記第２の基地局にベアラのセットをオフロードするために初期ベアラメッセージを送ることを備える、請求項１に記載の装置。
【請求項４】
オフロードすべき前記１つまたは複数のデータベアラを前記識別することが、前記第２のＲＡＴの前記第１の基地局における負荷と、前記第２のＲＡＴの前記第２の基地局における負荷と、前記測定値報告中の受信信号品質とに基づいて、１つまたは複数のデータベアラを識別することを備える、請求項１に記載の装置。
【請求項５】
前記測定値報告は、前記ＵＥが前記第２のＲＡＴの前記第２の基地局に関連付けられていることを示す、請求項１に記載の装置。
【請求項６】
前記測定値報告は、前記ＵＥがもはや前記第２のＲＡＴの前記第１の基地局に関連付けられていないことを示す、請求項１に記載の装置。
【請求項７】
前記プロセッサが、
直接インターフェースを通して前記第２のＲＡＴの前記第１の基地局または前記第２のＲＡＴの前記第２の基地局からリソースおよび性能メトリックおよび統計値を受信すること
を行うようにさらに構成された、請求項１に記載の装置。
【請求項８】
前記リソースおよび性能メトリックが、
前記装置のハードウェア負荷、
前記第２のＲＡＴの前記第１の基地局のハードウェア負荷、および
前記第２のＲＡＴの前記第２の基地局のハードウェア負荷
のうちの少なくとも１つを備える、請求項７に記載の装置。
【請求項９】
前記プロセッサが、
前記第２のＲＡＴの前記第１の基地局または前記第２のＲＡＴの前記第２の基地局の受信バッファのアンダーフローとオーバーフローとを低減するために、前記装置においてフロー制御を使用すること
を行うようにさらに構成された、請求項１に記載の装置。
【請求項１０】
前記プロセッサが、
任意の時間インスタンスにおいてフォワーディングされるべきデータの量を決定するために前記第２のＲＡＴの前記第２の基地局の性能メトリックおよび統計値を利用すること
を行うようにさらに構成された、請求項９に記載の装置。
【請求項１１】
フォワーディングされるべきデータの前記量を決定することが周期的に実行される、請求項１０に記載の装置。
【請求項１２】
フォワーディングされるべきデータの前記量を決定することが、前記第２のＲＡＴの前記第２の基地局から指示を受信したことに基づいて実行される、請求項１０に記載の装置。
【請求項１３】
前記プロセッサが、
任意の時間インスタンスにおいてフォワーディングされるべきデータの量を決定するために前記ＵＥの性能メトリックおよび統計値を利用すること
を行うようにさらに構成された、請求項９に記載の装置。
【請求項１４】
第１の無線アクセス技術（ＲＡＴ）の基地局（ＢＳ）によるワイヤレス通信のための方法であって、
前記第１のＲＡＴとは異なる第２のＲＡＴの第１の基地局によってサービスされるユーザ機器（ＵＥ）のために構成された複数のデータベアラを識別することと、
前記第２のＲＡＴの第２の基地局を識別する測定値報告を前記ＵＥから受信することと、
前記測定値報告に基づいて、前記第２のＲＡＴの前記第２の基地局にオフロードすべき前記データベアラのうちの１つまたは複数を識別することと、
前記識別されたデータベアラを前記第２のＲＡＴの前記第２の基地局にオフロードするために前記第２のＲＡＴの前記第１の基地局および前記第２の基地局と通信することと、
前記識別されたベアラを送信および受信するために前記第２のＲＡＴの前記第２の基地局を使用するように前記ＵＥを構成することと
を備える方法。
【請求項１５】
請求項１４に記載の方法を実施するための命令を備えたコンピュータプログラム。
【手続補正２】
【補正対象書類名】明細書
【補正対象項目名】００９７
【補正方法】変更
【補正の内容】
【００９７】
[0111]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］  第１の無線アクセス技術（ＲＡＴ）のワイヤレス通信のための装置であって、
第２のＲＡＴの第１の基地局によってサービスされるユーザ機器（ＵＥ）のために構成された複数のデータベアラを識別することと、
前記第２のＲＡＴの第２の基地局を識別する測定値報告を前記ＵＥから受信することと、
前記測定値報告に基づいて、前記第２のＲＡＴの前記第２の基地局にオフロードすべき前記データベアラのうちの１つまたは複数を識別することと、
前記識別されたデータベアラを前記第２のＲＡＴの前記第２の基地局にオフロードするために前記第２のＲＡＴの前記第１の基地局および前記第２の基地局と通信することと、
前記識別されたベアラを送信および受信するために前記第２のＲＡＴの前記第２の基地局を使用するように前記ＵＥを構成することと
を行うように構成されたプロセッサと、
前記プロセッサに結合されたメモリと
を備える装置。
［Ｃ２］  前記第２のＲＡＴの前記第１の基地局と通信することが、前記第２のＲＡＴの前記第１の基地局への前記識別されたベアラのオフローディングを停止するために、前記第２のＲＡＴの前記第１の基地局にベアラ変更メッセージを送ることを備える、Ｃ１に記載の装置。
［Ｃ３］  前記第２のＲＡＴの前記第２の基地局と通信することが、前記第２のＲＡＴの前記第２の基地局にベアラのセットをオフロードするために初期ベアラメッセージを送ることを備える、Ｃ１に記載の装置。
［Ｃ４］  オフロードすべき前記１つまたは複数のデータベアラを前記識別することが、前記第２のＲＡＴの前記第１の基地局における負荷と、前記第２のＲＡＴの前記第２の基地局における負荷と、前記測定値報告中の受信信号品質とに基づいて、１つまたは複数のデータベアラを識別することを備える、Ｃ１に記載の装置。
［Ｃ５］  前記測定値報告は、前記ＵＥが前記第２のＲＡＴの前記第２の基地局に関連付けられていることを示す、Ｃ１に記載の装置。
［Ｃ６］  前記測定値報告は、前記ＵＥがもはや前記第２のＲＡＴの前記第１の基地局に関連付けられていないことを示す、Ｃ１に記載の装置。
［Ｃ７］  前記プロセッサが、
直接インターフェースを通して前記第２のＲＡＴの前記第１の基地局または前記第２のＲＡＴの前記第２の基地局からリソースおよび性能メトリックおよび統計値を受信すること
を行うようにさらに構成された、Ｃ１に記載の装置。
［Ｃ８］  前記リソースおよび性能メトリックが、
前記装置のハードウェア負荷、
前記第２のＲＡＴの前記第１の基地局のハードウェア負荷、および
前記第２のＲＡＴの前記第２の基地局のハードウェア負荷
のうちの少なくとも１つを備える、Ｃ７に記載の装置。
［Ｃ９］  前記プロセッサが、
前記第２のＲＡＴの前記第１の基地局または前記第２のＲＡＴの前記第２の基地局の受信バッファのアンダーフローとオーバーフローとを低減するために、前記装置においてフロー制御を使用すること
を行うようにさらに構成された、Ｃ１に記載の装置。
［Ｃ１０］  前記プロセッサが、
任意の時間インスタンスにおいてフォワーディングされるべきデータの量を決定するために前記第２のＲＡＴの前記第２の基地局の性能メトリックおよび統計値を利用すること
を行うようにさらに構成された、Ｃ９に記載の装置。
［Ｃ１１］  フォワーディングされるべきデータの前記量を決定することが周期的に実行される、Ｃ１０に記載の装置。
［Ｃ１２］  フォワーディングされるべきデータの前記量を決定することが、前記第２のＲＡＴの前記第２の基地局から指示を受信したことに基づいて実行される、Ｃ１０に記載の装置。
［Ｃ１３］  前記プロセッサが、
任意の時間インスタンスにおいてフォワーディングされるべきデータの前記量を決定するために前記ＵＥの性能メトリックおよび統計値を利用すること
を行うようにさらに構成された、Ｃ９に記載の装置。
［Ｃ１４］  前記第１のＲＡＴと前記第２のＲＡＴとが同じＲＡＴを備える、Ｃ１に記載の装置。
［Ｃ１５］  第１の無線アクセス技術（ＲＡＴ）のワイヤレス通信のための装置であって、
ユーザ機器（ＵＥ）から、前記第１のＲＡＴのターゲット基地局を識別する測定値報告を受信することと、
前記ＵＥが第２のＲＡＴの基地局と相互作用していると決定することと、
前記ターゲット基地局にハンドオーバ要求を送ることと、前記ハンドオーバ要求が、前記第２のＲＡＴの前記基地局と、前記第２のＲＡＴの前記基地局によってサービスされる前記ＵＥのために構成された少なくとも１つのデータベアラとを識別する情報を含む、
前記第２のＲＡＴの前記基地局と相互作用し続けながら前記ターゲット基地局にハンドオーバするように前記ＵＥを構成することと、
前記ハンドオーバが完了するまで、前記識別された少なくとも１つのデータベアラのためのデータを前記ターゲット基地局にフォワーディングすることと、
前記基地局が前記識別された少なくとも１つのデータベアラのためのデータを前記ターゲット基地局にフォワーディングすることを終了するという指示を前記ターゲット基地局に送ることと
を行うように構成されたプロセッサと、
前記プロセッサに結合されたメモリと
を備える装置。
［Ｃ１６］  前記少なくとも１つのデータベアラのための前記ＵＥからのデータが前記第２のＲＡＴの前記基地局を介して受信される、Ｃ１５に記載の装置。
［Ｃ１７］  前記少なくとも１つのデータベアラのための前記ＵＥへのデータがコアネットワークから受信される、Ｃ１５に記載の装置。
［Ｃ１８］  前記識別された少なくとも１つのデータベアラが、前記第２のＲＡＴの前記基地局によってサービスされるように構成された前記ＵＥからのデータベアラと前記ＵＥへのデータベアラの両方を備える、Ｃ１５に記載の装置。
［Ｃ１９］  前記第１のＲＡＴと前記第２のＲＡＴとが同じＲＡＴを備える、Ｃ１６に記載の装置。
［Ｃ２０］  第１の無線アクセス技術（ＲＡＴ）のワイヤレス通信のための装置であって、
前記第１のＲＡＴのソース基地局から、ユーザ機器（ＵＥ）をハンドオーバしたいというハンドオーバ要求を受信することと、前記ハンドオーバ要求が、第２のＲＡＴの基地局と、前記第２のＲＡＴの前記基地局によってサービスされる前記ＵＥのために構成された少なくとも１つのデータベアラとを識別する情報を含む、
前記ハンドオーバが完了するまで、前記ソース基地局から前記識別された少なくとも１つのデータベアラのためのデータを受信することと、
前記少なくとも１つの識別されたデータベアラをオフロードしたいという要求を前記第２のＲＡＴの前記基地局に送ることと
を行うように構成されたプロセッサと、
前記プロセッサに結合されたメモリと
を備える装置。
［Ｃ２１］  オフロードしたいという前記要求が、前記ハンドオーバ要求を受信した後に送られる、Ｃ２０に記載の装置。
［Ｃ２２］  オフロードしたいという前記要求は、前記識別された少なくとも１つのデータベアラが前記第１のＲＡＴの前記ソース基地局に切り替えられた後に送られる、Ｃ２０に記載の装置。
［Ｃ２３］  オフロードしたいという前記要求は、前記識別された少なくとも１つのデータベアラのためのデータパケットのステータス転送が前記ソース基地局から受信された後に送られる、Ｃ２０に記載の装置。
［Ｃ２４］  前記少なくとも１つのデータベアラが前記ＵＥからのデータベアラと前記ＵＥへのデータベアラの両方を備える、Ｃ２０に記載の装置。
［Ｃ２５］  前記プロセッサが、
コアネットワークから発生したデータベアラのための前記受信されたデータを前記ソース基地局から前記第２のＲＡＴの前記基地局にフォワーディングすること
を行うようにさらに構成された、Ｃ２０に記載の装置。
［Ｃ２６］  前記プロセッサが、
前記ソース基地局を介して前記コアネットワークから停止するようにとの指示を受信したことに応答して、前記フォワーディングすることを停止すること
を行うようにさらに構成された、Ｃ２５に記載の装置。
［Ｃ２７］  前記プロセッサが、
前記ＵＥから発生した前記識別された少なくとも１つのデータベアラのための前記受信されたデータを前記ソース基地局からコアネットワークにフォワーディングすること
を行うようにさらに構成された、Ｃ２０に記載の装置。
［Ｃ２８］  前記第１のＲＡＴと前記第２のＲＡＴとが同じＲＡＴを備える、Ｃ２０に記載の装置。
［Ｃ２９］  第１の無線アクセス技術（ＲＡＴ）の基地局（ＢＳ）によるワイヤレス通信のための方法であって、
第２のＲＡＴの第１の基地局によってサービスされるユーザ機器（ＵＥ）のために構成された複数のデータベアラを識別することと、
前記第２のＲＡＴの第２の基地局を識別する測定値報告を前記ＵＥから受信することと、
前記測定値報告に基づいて、前記第２のＲＡＴの前記第２の基地局にオフロードすべき前記データベアラのうちの１つまたは複数を識別することと、
前記識別されたデータベアラを前記第２のＲＡＴの前記第２の基地局にオフロードするために前記第２のＲＡＴの前記第１の基地局および前記第２の基地局と通信することと、
前記識別されたベアラを送信および受信するために前記第２のＲＡＴの前記第２の基地局を使用するように前記ＵＥを構成することと
を備える方法。
［Ｃ３０］  前記第１のＲＡＴと前記第２のＲＡＴとが同じＲＡＴを備える、Ｃ２９に記載の方法。